(57)【要約】【課題】多様な分散電源を効率よく制御する。【解決手段】電力制御装置は、蓄電池に接続されるコンバータと、コンバータから供給される直流電力を交流電力に変換するインバータと、自立運転時、インバータからの交流電力を負荷に供給し、蓄電池を充電するときに発電装置の出力電力が供給される端子と、コンバータ及びインバータを制御する制御部とを備える。制御部は、自立運転時、蓄電池が満充電である場合は、コンバータとインバータとの間の電圧であるＤＣリンク電圧を所定値まで低下させる。【選択図】図１
2018019506.tif 000002
【特許請求の範囲】
【請求項１】
蓄電池に接続されるコンバータと、
前記コンバータから供給される直流電力を交流電力に変換するインバータと、
自立運転時、前記インバータからの交流電力を負荷に供給し、前記蓄電池を充電するときに発電装置の出力電力が供給される端子と、
前記コンバータ及び前記インバータを制御する制御部と、を備え、
前記制御部は、自立運転時、前記蓄電池が満充電である場合は、前記コンバータと前記インバータとの間の電圧であるＤＣリンク電圧を所定値まで低下させる、電力制御装置。
【請求項２】
請求項１に記載の電力制御装置において、
前記制御部は、自立運転時、前記蓄電池が満充電であり、かつ前記負荷の消費電力が所定閾値を下回る場合は、前記負荷の消費電力が所定閾値以上である場合よりも、前記ＤＣリンク電圧を所定値まで速く低下させる、電力制御装置。
【請求項３】
請求項１又は２に記載の電力制御装置において、
前記制御部は、自立運転時、前記蓄電池が満充電であり、かつ前記負荷の消費電力が所定閾値を下回る場合は、前記負荷の消費電力が所定閾値以上である場合よりも、前記所定値を低くする、電力制御装置。
【請求項４】
請求項１から３の何れか一項に記載の電力制御装置において、
前記制御部は、自立運転時、前記蓄電池が満充電である場合に前記ＤＣリンク電圧を低下させた後、前記蓄電池が充電可能となった場合は、低下させた前記ＤＣリンク電圧を元の値に戻す、電力制御装置。
【請求項５】
蓄電池に接続されるコンバータと、
前記コンバータから供給される直流電力を交流電力に変換するインバータと、
自立運転時、前記インバータからの交流電力を負荷に供給し、前記蓄電池を充電するときに発電装置の出力電力が供給される端子と、
前記コンバータ及び前記インバータを制御する制御部と、を備える電力制御装置の制御方法であって、
自立運転時、前記蓄電池が満充電であるか否かを判定し、
前記蓄電池が満充電である場合、前記コンバータと前記インバータとの間の電圧であるＤＣリンク電圧を所定値まで低下させる、電力制御装置の制御方法。
【発明の詳細な説明】
【技術分野】
【０００１】
本発明は、電力制御装置及びその制御方法に関する。
【背景技術】
【０００２】
近年、分散電源を需要家施設に設置させることが普及しつつある。また、分散電源の多様化に伴い、需要家施設には、例えば、太陽電池、蓄電池、燃料電池、ガス発電機等といった多様な分散電源が設置されることがある。この場合、需要家施設において、多様な分散電源を効率よく制御することが求められる。そこで、多様な分散電源を一元的に管理・運用する電力制御装置が知られている（特許文献１）。
【先行技術文献】
【特許文献】
【０００３】
【特許文献１】特開２０１４−２１２６５６号公報
【発明の概要】
【発明が解決しようとする課題】
【０００４】
かかる点に鑑みてなされた本発明の目的は、多様な分散電源を効率よく制御することができる電力制御装置及びその制御方法を提供することにある。
【課題を解決するための手段】
【０００５】
本発明の一実施形態に係る電力制御装置は、蓄電池に接続されるコンバータと、前記コンバータから供給される直流電力を交流電力に変換するインバータと、自立運転時、前記インバータからの交流電力を負荷に供給し、前記蓄電池を充電するときに発電装置の出力電力が供給される端子と、前記コンバータ及び前記インバータを制御する制御部とを備える。前記制御部は、自立運転時、前記蓄電池が満充電である場合は、前記コンバータと前記インバータとの間の電圧であるＤＣリンク電圧を所定値まで低下させる。
【０００６】
また、本発明の一実施形態に係る電力制御装置の制御方法は、蓄電池に接続されるコンバータと、前記コンバータから供給される直流電力を交流電力に変換するインバータと、自立運転時、前記インバータからの交流電力を負荷に供給し、前記蓄電池を充電するときに発電装置の出力電力が供給される端子と、前記コンバータ及び前記インバータを制御する制御部とを備える電力制御装置の制御方法である。該電力制御装置の制御方法は、自立運転時、前記蓄電池が満充電であるか否かを判定し、前記蓄電池が満充電である場合、前記コンバータと前記インバータとの間の電圧であるＤＣリンク電圧を所定値まで低下させる。
【発明の効果】
【０００７】
本発明の実施形態に係る電力制御装置及びその制御方法によれば、多様な分散電源を効率よく制御することができる。
【図面の簡単な説明】
【０００８】
【図１】本発明の一実施形態に係る電力制御システムの概略構成を示す図である。
【図２】ＤＣリンク電圧を低下させない場合のＤＣリンク電圧の波形の一例を示す図である。
【図３】ＤＣリンク電圧を低下させた場合のＤＣリンク電圧の波形の一例を示す図である。
【図４】本実施形態に係る電力制御装置の自立運転時の動作の一例を示すフローチャートである。
【発明を実施するための形態】
【０００９】
以下、本発明に係る実施形態について、図面を参照して説明する。なお、以下では、特許請求の範囲における「発電装置」を、燃料電池として説明するが、燃料電池以外であってもよい。例えば、「発電装置」は、ガス発電機、ガスタービン発電機及び風力発電機等であってもよい。
【００１０】
［システム構成］
図１において、各機能ブロックを結ぶ実線は電力線を示し、破線は制御線及び信号線を示す。制御線及び信号線が示す接続は、有線接続であってもよいし、無線接続であってもよい。なお、電力制御装置２０内では、制御線及び信号線が示す接続の図示を省略している。
【００１１】
電力制御システム１は、需要家施設に設置されるものである。電力制御システム１は、商用電力系統（以下「電力系統」と略記する）１００に接続され、需要家施設の負荷２００に、電力を供給する。電力制御システム１は、太陽電池１０と、蓄電池１１と、電力制御装置２０と、電流センサ３０と、疑似電流回路４０と、分電盤５０と、燃料電池６０とを備える。
【００１２】
太陽電池１０は、太陽光のエネルギーから直流電力を発電する。太陽電池１０は、発電した直流電力を、電力制御装置２０に供給する。
【００１３】
蓄電池１１は、放電電力によって、電力制御装置２０に直流電力を供給する。また、蓄電池１１は、電力制御装置２０から供給される直流電力によって、充電される。
【００１４】
電力制御装置２０は、通常時、電力系統１００との連系運転を行う。電力制御装置２０は、連系運転時、電力系統１００から供給される電力と、太陽電池１０及び蓄電池１１から供給される電力とを、分電盤５０を介して負荷２００に供給する。また、電力制御装置２０は、電力系統１００の停電時、自立運転を行う。電力制御装置２０は、自立運転時、太陽電池１０及び蓄電池１１から供給される電力を、分電盤５０を介して負荷２００に供給する。
【００１５】
また、電力制御装置２０は、電力系統１００、太陽電池１０及び燃料電池６０から供給される電力によって蓄電池１１を充電する。電力制御装置２０の構成の詳細は後述する。
【００１６】
電流センサ３０は、電力制御装置２０と分電盤５０との間に流れる電流値を検出し、検出した電流値を、燃料電池６０に送信する。電流センサ３０は、燃料電池６０が出力電力を制御するために設けられる。例えば、需要家施設と電力会社（電力系統１００）との契約内容によっては、燃料電池６０の出力電力の電力系統１００への逆潮流が制限される場合がある。このとき、燃料電池６０は、電流センサ３０から取得した値に基づき、燃料電池６０の出力電力が逆潮流しないように、燃料電池６０の出力電力を制御する。また、燃料電池６０が負荷追従運転を行う際は、電流センサ３０によって検出される順潮流の大きさに応じて、燃料電池６０の出力電力を制御する。
【００１７】
疑似電流回路４０は、例えば電力制御装置２０から供給される電流を用いて、電流センサ３０に対して順潮流と同方向の疑似電流を供給する回路である。上述のように、例えば、需要家施設と電力会社（電力系統１００）との契約内容によって、燃料電池６０の出力電力の電力系統１００への逆潮流が制限されることがある。このとき、自立運転時に燃料電池６０を運転させ、燃料電池６０の出力電力によって蓄電池１１を充電しようとすると、燃料電池６０の出力電力が電流センサ３０によって逆潮流と検出されてしまい、蓄電池１１を充電できないことがある。そこで、このような場合、疑似電流回路４０をオン状態にして、電流センサ３０に対して順潮流と同方向の疑似電流を流す。これにより、逆潮流が打ち消され、燃料電池６０の出力電力による蓄電池１１の充電が可能になる。
【００１８】
分電盤５０は、電力制御装置２０及び燃料電池６０から供給される電力を、負荷２００に分配する。負荷２００は、任意の数の電気機器等であり、電力制御装置２０及び燃料電池６０から供給される電力を消費する。
【００１９】
燃料電池６０は、例えば、固体酸化物形燃料電池装置（ＳＯＦＣ：Ｓｏｌｉｄ  Ｏｘｉｄｅ  Ｆｕｅｌ  Ｃｅｌｌ）又は固体高分子形燃料電池装置（ＰＥＦＣ：Ｐｏｌｙｍｅｒ  Ｅｌｅｃｔｒｏｌｙｔｅ  Ｆｕｅｌ  Ｃｅｌｌ）等である。燃料電池６０は、燃料（例えば、所定割合で配合されたガス、空気及び改質水）の電気化学反応によって発電する。燃料電池６０は、インバータ等を含み、インバータ等によって、発電した直流電力を交流電力に変換する。燃料電池６０は、変換後の交流電力を分電盤５０に供給する。
【００２０】
また、燃料電池６０は、上述のように、電流センサ３０から取得した値に基づき、燃料電池６０の出力電力を制御する。例えば、燃料電池６０の出力電力の電力系統１００への逆潮流が制限されている場合、燃料電池６０は、電流センサ３０から取得した値に基づき、燃料電池６０の出力電力が電力系統１００へ逆潮流しないように、燃料電池６０の出力電力を制御する。また、燃料電池６０が負荷追従運転を行う際は、電流センサ３０によって検出される順潮流の大きさに応じて、燃料電池６０の出力電力を制御する。
【００２１】
続いて、電力制御装置２０の構成の詳細について説明する。電力制御装置２０は、ＤＣ／ＤＣコンバータ２１と、ＤＣ／ＤＣコンバータ（コンバータ）２２と、インバータ２３と、スイッチＳＷ１，ＳＷ２，ＳＷ３と、連系端子２４と、端子２５と、通信部２６と、記憶部２７と、制御部２８とを備える。
【００２２】
ＤＣ／ＤＣコンバータ２１は、太陽電池１０に接続される。ＤＣ／ＤＣコンバータ２１は、制御部２８の制御に基づき、太陽電池１０から供給される直流電圧を、所定電圧（ＤＣリンク電圧）に変換する。ＤＣ／ＤＣコンバータ２１は、変換後の直流電圧をインバータ２３に供給する。
【００２３】
ＤＣ／ＤＣコンバータ２２は、蓄電池１１に接続される。ＤＣ／ＤＣコンバータ２２は、制御部２８の制御に基づき、蓄電池１１から供給される直流電圧を、所定電圧（ＤＣリンク電圧）に変換する。ＤＣ／ＤＣコンバータ２２は、変換後の直流電圧をインバータ２３に供給する。
【００２４】
また、ＤＣ／ＤＣコンバータ２２は、制御部２８の制御に基づき、電力系統１００又は燃料電池６０の電力によって蓄電池１１を充電する際は、インバータ２３から供給される直流電圧を、所定電圧に変換し、変換後の直流電圧を蓄電池１１に供給する。加えて、ＤＣ／ＤＣコンバータ２２は、制御部２８の制御に基づき、太陽電池１０の電力によって蓄電池１１を充電する際は、ＤＣ／ＤＣコンバータ２１から供給される直流電圧を、所定電圧に変換し、変換後の直流電圧を蓄電池１１に供給する。
【００２５】
インバータ２３は、制御部２８の制御に基づき、ＤＣ／ＤＣコンバータ２１，２２から供給される直流電圧を一括して交流電圧に変換する。インバータ２３は、変換後の交流電圧を、端子２５を介して負荷２００に供給する。
【００２６】
また、インバータ２３は、制御部２８の制御に基づき、電力系統１００又は燃料電池６０の電力によって蓄電池１１を充電する際は、電力系統１００又は燃料電池６０から供給される交流電圧を直流電圧に変換し、変換後の直流電圧をＤＣ／ＤＣコンバータ２２に供給する。
【００２７】
連系端子２４には、連系運転時、電力系統１００の電力が供給される。また、端子２５には、連系運転時及び自立運転時、インバータ２３の交流電力が供給される。さらに、端子２５には、蓄電池１１を充電する際、燃料電池６０の出力電力が供給される。
【００２８】
スイッチＳＷ１は、連系スイッチであり、インバータ２３と連系端子２４との間に設けられる。スイッチＳＷ１は、スイッチ及びリレー等を含み、制御部２８の制御に基づき、オン／オフ状態になる。例えば、スイッチＳＷ１は、連系運転時、オン状態になる。また、例えば、スイッチＳＷ１は、自立運転時、太陽電池１０及び蓄電池１１を電力系統１００から解列させるために、オフ状態になる。
【００２９】
スイッチＳＷ２は、系統バイパススイッチであり、連系端子２４と端子２５との間に設けられる。スイッチＳＷ２は、スイッチ及びリレー等を含み、制御部２８の制御に基づき、オン／オフ状態になる。例えば、スイッチＳＷ２は、連系運転時、電力系統１００からの電力を負荷２００に供給する際に、オン状態となる。
【００３０】
スイッチＳＷ３は、自立スイッチであり、インバータ２３と端子２５との間に設けられる。スイッチＳＷ３は、スイッチ及びリレー等を含み、制御部２８の制御に基づき、オン／オフ状態になる。例えば、スイッチＳＷ３は、連系運転時、オフ状態となる。また、例えば、スイッチＳＷ３は、自立運転時、太陽電池１０及び蓄電池１１からの電力を負荷２００へ供給可能にするために、オン状態となる。
【００３１】
通信部２６は、電力制御装置２０の外部に配置された装置等と通信する。通信部２６は、例えば、電流センサ３０及び疑似電流回路４０と通信する。
【００３２】
記憶部２７は、電力制御装置２０の処理に必要な情報及び電力制御装置２０の各機能を実現する処理内容を記述したプログラムを記憶している。記憶部２７は、例えば、後述の所定値及び所定閾値を記憶している。
【００３３】
制御部２８は、電力制御装置２０全体を制御及び管理するものであり、例えばプロセッサ等である。制御部２８は、ＤＣ／ＤＣコンバータ２１，２２及びインバータ２３を制御する。また、制御部２８は、スイッチＳＷ１〜ＳＷ３のオン／オフ状態を制御する。
【００３４】
また、制御部２８は、燃料電池６０の出力電力によって蓄電池１１を充電する際、電流センサ３０に対して順潮流と同方向の疑似電流が流れるように、通信部２６を介して疑似電流回路４０をオン状態にする。さらに、制御部２８は、蓄電池１１が満充電になると、疑似電流を停止させるために、疑似電流回路４０をオフ状態にする。満充電とは、例えば、蓄電池１１の蓄電量が、蓄電池１１の予め設定された使用可能な蓄電量の上限値に達した状態である。なお、蓄電池１１の経年劣化及び使用温度等に応じて、予め設定された使用可能な蓄電量の上限値を下回る蓄電池１１の蓄電量を満充電としてもよい。制御部２８は、例えば、蓄電池１１の蓄電量が予め設定された閾値を超えた場合、蓄電池１１は満充電になったと判定する。
【００３５】
また、制御部２８は、自立運転時、蓄電池１１が満充電である場合は、ＤＣ／ＤＣコンバータ２１，２２とインバータ２３との間のＤＣリンク部ａの電圧であるＤＣリンク電圧を所定値まで低下させるように制御する。以下、この制御の仕組みについて説明する。
【００３６】
自立運転時、燃料電池６０が負荷追従運転を行っており、かつ蓄電池１１が満充電である場合、燃料電池６０の出力電力は、負荷２００の他に行き場がない。そのため、負荷２００の消費電力が低下した場合、燃料電池６０は、逆潮流を防止するために、内部負荷によって余剰電力を消費する。しかしながら、例えば負荷２００の消費電力が急激に減少し、内部負荷による電力消費によっても依然として余剰電力が発生する場合、燃料電池６０の出力電力が瞬間的に逆潮流して、ＤＣリンク電圧が瞬間的に上がってしまうことがある。さらに、この場合、ＤＣリンク電圧が（例えば保証電圧値の上限として設定されている）上限値を超えると、ＤＣ／ＤＣコンバータ２１，２２及びインバータ２３等は異常停止してしまう。この際の様子を、図２を用いて説明する。図２の例では、時刻ｔ１で蓄電池１１が満充電になっている。従って、時刻ｔ１以降は、燃料電池６０の出力電力は、負荷２００の他に行き場がない。そのため、時刻ｔ２で、負荷２００の消費電力が急激に減少し、燃料電池６０の出力電力が瞬間的に逆潮流したために、ＤＣリンク電圧が、上限値の３８０Ｖを超えてしまっている。
【００３７】
これを防止するために、本実施形態では、自立運転時、蓄電池１１が満充電である場合は、ＤＣ／ＤＣコンバータ２１，２２とインバータ２３との間のＤＣリンク電圧を所定値まで低下させるように制御する。この際の様子を、図３を用いて説明する。図３の例では、時刻ｔ３で蓄電池１１が満充電になっている。そのため、本実施形態では、制御部２８は、ＤＣリンク電圧を、所定値まで低下させる。図３の例では、制御部２８は、ＤＣリンク電圧を、３００Ｖの所定値まで、時間Ｔ１（時刻ｔ３から時刻ｔ４の間）かけて連続的に低下させている。これにより、時刻ｔ５で、燃料電池６０の出力電力が瞬間的に逆潮流したために、ＤＣリンク電圧が瞬間的に上昇しても、ＤＣリンク電圧は上限値である３８０Ｖを超えない。従って、本実施形態では、自立運転時に、ＤＣ／ＤＣコンバータ２１，２２及びインバータ２３等を異常停止させずに済む。なお、制御部２８は、ＤＣリンク電圧を低下させた際は、その分の電圧値を、インバータ２３によって昇圧させるよう制御する。
【００３８】
さらに、図３に示す３００Ｖの所定値及びＤＣリンク電圧を所定値まで連続的に低下させる際にかける時間Ｔ１は、負荷２００の消費電力に応じて変化させてもよい。例えば、負荷２００の消費電力が小さいほど、燃料電池６０の発電電力を小さくする必要があるため、燃料電池６０における発電状態が安定しなくなり、燃料電池６０の出力電力が逆潮流しやすくなる。従って、この場合、制御部２８は、負荷２００の消費電力が所定閾値を下回る場合に、負荷２００の消費電力が所定閾値以上である場合よりも、ＤＣリンク電圧を速く低下させるように制御してもよい。この制御は、図３の例では、時間Ｔ１を短くするように制御することで実現される。さらに、この場合、制御部２８は、負荷２００の消費電力が所定閾値を下回る場合に、負荷２００の消費電力が所定閾値以上である場合よりも、所定値が低くなるように制御してもよい。この制御は、図３の例では、所定値が３００Ｖよりも低くなるように制御することで実現される。
【００３９】
加えて、制御部２８は、蓄電池１１が満充電である場合にＤＣリンク電圧を低下させた後、蓄電池１１が充電可能となった場合は、ＤＣリンク電圧の低下を解除し、低下させたＤＣリンク電圧を元の値に戻すように制御する。図３の例では、時刻ｔ６で蓄電池１１が充電可能となっている。そのため、時刻ｔ７で、制御部２８によって、ＤＣリンク電圧は、元の値３５０Ｖに戻されている。
【００４０】
［システム動作］
以下、本実施形態に係る電力制御装置２０の自立運転時の動作について、図４を用いて説明する。
【００４１】
まず、制御部２８は、蓄電池１１が満充電であるか否か判定する（ステップＳ１０１）。制御部２８は、蓄電池１１が満充電であると判定した場合（ステップＳ１０１：Ｙｅｓ）、ステップＳ１０２の処理に進む。一方、制御部２８は、蓄電池１１が満充電ではないと判定した場合（ステップＳ１０１：Ｎｏ）、ステップＳ１０５の処理に進む。
【００４２】
ステップＳ１０２の処理では、制御部２８は、負荷２００の消費電力が所定閾値を下回るか否か判定する。制御部２８は、例えば、通信部２６を介して電流センサ３０から取得した電流値に、所定電圧を乗算して、負荷２００の消費電力を算出する。制御部２８は、負荷２００の消費電力が所定閾値を下回らないと判定した場合（ステップＳ１０２：Ｎｏ）、ステップＳ１０３の処理に進む。一方、制御部２８は、負荷２００の消費電力が所定閾値を下回ると判定した場合（ステップＳ１０２：Ｙｅｓ）、ステップＳ１０４の処理に進む。
【００４３】
ステップＳ１０３の処理では、制御部２８は、ＤＣリンク電圧を所定値まで低下させるように制御する。
【００４４】
このようにステップＳ１０１〜Ｓ１０３の処理を行うことで、蓄電池１１が満充電である場合、電力制御装置２０では、ＤＣリンク電圧を、所定値まで低下させる。これにより、電力制御装置２０では、燃料電池６０の出力電力の瞬間的な逆潮流によってＤＣリンク電圧が上限値を超えてしまい、ＤＣ／ＤＣコンバータ２１，２２及びインバータ２３が異常停止するといった事態を防ぐことができる。従って、電力制御装置２０によれば、自立運転時、継続的な運転が可能になる。
【００４５】
ステップＳ１０４の処理では、制御部２８は、ステップＳ１０３の処理でＤＣリンク電圧を低下させる際よりも、ＤＣリンク電圧を所定値まで速く低下させるように制御する。また、この際、制御部２８は、ステップＳ１０３の処理でＤＣリンク電圧を低下させる際よりも、所定値が低くなるように制御してもよい。
【００４６】
このようにステップＳ１０２，Ｓ１０４の処理を行うことで、負荷２００の消費電力が所定閾値より小さい場合、電力制御装置２０では、ＤＣリンク電圧が速く低下するように制御される。これにより、電力制御装置２０によれば、負荷２００の消費電力に応じたＤＣリンク電圧の適切な制御が可能になる。
【００４７】
ステップＳ１０５の処理では、制御部２８は、ステップＳ１０３，Ｓ１０４の処理でＤＣリンク電圧を低下させている際は、ＤＣリンク電圧の低下を解除し、低下させたＤＣリンク電圧を元の値に戻すように制御する。
【００４８】
以上のように、本実施形態に係る電力制御装置２０では、自立運転時、蓄電池１１が満充電である場合は、ＤＣ／ＤＣコンバータ２１，２２とインバータ２３との間の電圧であるＤＣリンク電圧を所定値まで低下させるように制御する。これにより、電力制御装置２０では、燃料電池６０の出力電力の瞬間的な逆潮流によってＤＣリンク電圧が上限値を超えてしまい、ＤＣ／ＤＣコンバータ２１，２２及びインバータ２３が異常停止するといった事態を防ぐことができる。そのため、電力制御装置２０では、自立運転時、継続的な運転が可能になる。従って、電力制御装置２０では、燃料電池６０及び蓄電池１１といった多様な分散電源を、効率よく制御することができる。
【００４９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００５０】
１  電力制御システム
１０  太陽電池
１１  蓄電池
２０  電力制御装置
２１  ＤＣ／ＤＣコンバータ
２２  ＤＣ／ＤＣコンバータ（コンバータ）
２３  インバータ
２４  連系端子
２５  端子
２６  通信部
２７  記憶部
２８  制御部
ＳＷ１，ＳＷ２，ＳＷ３  スイッチ
３０  電流センサ
４０  疑似電流回路
５０  分電盤
６０  燃料電池（発電装置）
１００  電力系統
２００  負荷
【図１】
2018019506.tif 000003
【図２】
2018019506.tif 000004
【図３】
2018019506.tif 000005
【図４】
2018019506.tif 000006